(57)【要約】【課題】コストアップを抑制しつつ、外装カバー上に配線されたケーブルの汚れを抑制することにある。【解決手段】（ａ）原稿を読み取る読み取り部を有する第１筐体と、（ｂ）前記第１筐体と第１ケーブルを介して結ばれ、前記読み取り部が読み取った前記原稿に基づいて画像を形成する画像形成部を有する第２筐体と、（ｃ）前記第１筐体と前記第２筐体のうちの一方の筐体に設けられ、前記第１ケーブルを含む複数のケーブルが接続された接続部と、（ｄ）前記接続部が設けられた筐体に取り付けられた外装カバーであって、前記筐体内に設けられたファンによって前記筐体外へ排気される空気を通すファン開口部と、前記ファン開口部の周囲に位置し、複数の前記ケーブルのうちの前記外装カバー上に配線された少なくとも一つのケーブルを、前記ファン開口部を跨がせないようにガイドするケーブルガイドと、が一体形成された外装カバーと、（ｅ）を備えることを特徴とする画像形成装置。【選択図】図１０
2009116114.tif 000002
【特許請求の範囲】
【請求項１】
（ａ）原稿を読み取る読み取り部を有する第１筐体と、
（ｂ）前記第１筐体と第１ケーブルを介して結ばれ、前記読み取り部が読み取った前記原稿に基づいて画像を形成する画像形成部を有する第２筐体と、
（ｃ）前記第１筐体と前記第２筐体のうちの一方の筐体に設けられ、前記第１ケーブルを含む複数のケーブルが接続された接続部と、
（ｄ）前記接続部が設けられた筐体に取り付けられた外装カバーであって、
前記筐体内に設けられたファンによって前記筐体外へ排気される空気を通すファン開口部と、
前記ファン開口部の周囲に位置し、複数の前記ケーブルのうちの前記外装カバー上に配線された少なくとも一つのケーブルを、前記ファン開口部を跨がせないようにガイドするケーブルガイドと、
が一体形成された外装カバーと、
（ｅ）を備えることを特徴とする画像形成装置。
【請求項２】
請求項１に記載の画像形成装置であって、
複数の前記ケーブルには、画像形成装置外の外部装置に接続される第２ケーブルが含まれ、
前記ケーブルガイドは、
前記外装カバー上に配線された前記第１ケーブルを、前記ファン開口部を跨がせないようにガイドする第１ケーブルガイドと、
前記外装カバー上に配線された前記第２ケーブルを、前記ファン開口部を跨がせないようにガイドする第２ケーブルガイドと、
であることを特徴とする画像形成装置。
【請求項３】
請求項２に記載の画像形成装置であって、
前記ファン開口部は、４辺から成る矩形部であり、
前記４辺のうちの対向する第１辺と第２辺が、鉛直方向に沿っており、他の対向する第３辺と第４辺が、水平方向に沿っており、
前記４辺のうちの前記第１辺が、前記鉛直方向に沿って設けられた前記接続部の隣に位置し、
前記第３辺は、前記鉛直方向において前記第４辺よりも上方に位置し、
前記接続部は、前記鉛直方向において前記第４辺よりも下方に位置し、前記第１ケーブルが接続される第１コネクタと、前記鉛直方向において前記第３辺よりも上方に位置し、前記第２ケーブルが接続される第２コネクタと、を有することを特徴とする画像形成装置。
【請求項４】
請求項３に記載の画像形成装置であって、
前記第１筐体は、前記鉛直方向において前記第２筐体の上に位置し、
前記接続部は、前記第２筐体に設けられ、
前記第１ケーブルガイド及び前記第２ケーブルガイドは、前記外装カバーから所定の突出方向に突出した突起であり、
前記第１ケーブルガイドは、前記第２辺と前記第４辺の周囲に形成され、
前記第２ケーブルガイドは、前記第３辺の周囲に形成されていることを特徴とする画像形成装置。
【請求項５】
請求項２〜請求項４のいずれかに記載の画像形成装置であって、
複数の前記ケーブルには、画像形成装置外の外部装置に接続される第３ケーブルが含まれ、
前記第２ケーブルガイドは、前記外装カバー上に配線された前記第２ケーブル及び前記第３ケーブルを、前記ファン開口部を跨がせないように共にガイドすることを特徴とする画像形成装置。
【請求項６】
請求項２〜請求項５のいずれかに記載の画像形成装置であって、
前記第１ケーブル及び前記第２ケーブルは、断面が円形の丸ケーブルであり、
前記第１ケーブルの直径は、前記第２ケーブルの直径よりも大きく、
前記ファン開口部の周囲に位置し、前記第１ケーブルと前記第２ケーブルを共にガイドする第３ケーブルガイドを備え、
前記第３ケーブルガイドは、前記外装カバーから所定の突出方向に突出した突起であり、かつ、当該突起の先端側に前記第一ケーブルを固定する固定部を有し、
前記固定部に固定された前記第１ケーブルが、当該第１ケーブルよりも前記突起の根元側にてガイドされた前記第２ケーブルの、前記第３ケーブルガイドからの抜けを防止することを特徴とする画像形成装置。
【請求項７】
（Ａ）コンピュータ、及び、
（Ｂ）このコンピュータに接続された画像形成装置であって、
（ａ）原稿を読み取る読み取り部を有する第１筐体と、
（ｂ）前記第１筐体と第１ケーブルを介して結ばれ、前記読み取り部が読み取った前記原稿に基づいて画像を形成する画像形成部を有する第２筐体と、
（ｃ）前記第１筐体と前記第２筐体のうちの一方の筐体に設けられ、前記第１ケーブルを含む複数のケーブルが接続された接続部と、
（ｄ）前記接続部が設けられた筐体に取り付けられた外装カバーであって、
前記筐体内に設けられたファンによって前記筐体外へ排気される空気を通すファン開口部と、
前記ファン開口部の周囲に位置し、複数の前記ケーブルのうちの前記外装カバー上に配線された少なくとも一つのケーブルを、前記ファン開口部を跨がせないようにガイドするケーブルガイドと、
が一体形成された外装カバーと、
（ｅ）を備える画像形成装置、
（Ｃ）を具備することを特徴とする画像形成システム。
【発明の詳細な説明】
【技術分野】
【０００１】
本発明は、画像形成装置、及び、画像形成システムに関する。
【背景技術】
【０００２】
コピー機等の画像形成装置は既によく知られている。かかる画像形成装置は、原稿を読み取る読み取り部と、前記読み取り部が読み取った原稿に基づいて画像を形成する画像形成部と、を有している。
【０００３】
上記の画像形成装置の中には、読み取り部と画像形成部が一つの筐体内に設けられずに、読み取り部と画像形成部が別々の筐体に設けられたものがある。そして、読み取り部が設けられた第１筐体と、画像形成部が設けられた第２筐体は、信号等の送受信を行うためにケーブルを介して結ばれている。そして、このケーブルを含む複数のケーブルが、画像形成装置の機能の実現のために、一方の筐体に設けられた接続部に接続される。また、接続部に接続されたケーブルは、安全面を考慮して外装カバー上に配線されている。
【特許文献１】特開平１０−３３７９２８号公報
【発明の開示】
【発明が解決しようとする課題】
【０００４】
ところで、外装カバーには、筐体内に設けられたファンによって筐体外へ排気される空気を通すファン開口部が、形成されている。このファン開口部を前記ケーブルが跨いでいる場合には、排気される空気（当該空気の中には、例えば塵等が含まれている）によってケーブルが汚れてしまう恐れがある。  
一方で、ケーブルがファン開口部を跨がないように、クランプを用いてケーブルを配線する手法も考えられる。しかし、かかる場合には、別部品であるクランプを設けることに伴うコストアップの問題が生じる。
【０００５】
そこで、本発明は係る課題に鑑みてなされたものであり、その目的とするところは、コストアップを抑制しつつ、外装カバー上に配線されたケーブルの汚れを抑制することにある。
【課題を解決するための手段】
【０００６】
前記課題を解決するために、主たる本発明は、
（ａ）原稿を読み取る読み取り部を有する第１筐体と、
（ｂ）前記第１筐体と第１ケーブルを介して結ばれ、前記読み取り部が読み取った前記原稿に基づいて画像を形成する画像形成部を有する第２筐体と、
（ｃ）前記第１筐体と前記第２筐体のうちの一方の筐体に設けられ、前記第１ケーブルを含む複数のケーブルが接続された接続部と、
（ｄ）前記接続部が設けられた筐体に取り付けられた外装カバーであって、
前記筐体内に設けられたファンによって前記筐体外へ排気される空気を通すファン開口部と、
前記ファン開口部の周囲に位置し、複数の前記ケーブルのうちの前記外装カバー上に配線された少なくとも一つのケーブルを、前記ファン開口部を跨がせないようにガイドするケーブルガイドと、
が一体形成された外装カバーと、
（ｅ）を備えることを特徴とする画像形成装置である。
【０００７】
本発明の他の特徴については、本明細書及び添付図面の記載により明らかにする。
【発明を実施するための最良の形態】
【０００８】
本明細書及び添付図面の記載により少なくとも次のことが明らかにされる。
【０００９】
（ａ）原稿を読み取る読み取り部を有する第１筐体と、
（ｂ）前記第１筐体と第１ケーブルを介して結ばれ、前記読み取り部が読み取った前記原稿に基づいて画像を形成する画像形成部を有する第２筐体と、
（ｃ）前記第１筐体と前記第２筐体のうちの一方の筐体に設けられ、前記第１ケーブルを含む複数のケーブルが接続された接続部と、
（ｄ）前記接続部が設けられた筐体に取り付けられた外装カバーであって、
前記筐体内に設けられたファンによって前記筐体外へ排気される空気を通すファン開口部と、
前記ファン開口部の周囲に位置し、複数の前記ケーブルのうちの前記外装カバー上に配線された少なくとも一つのケーブルを、前記ファン開口部を跨がせないようにガイドするケーブルガイドと、
が一体形成された外装カバーと、
（ｅ）を備えることを特徴とする画像形成装置。このような画像形成装置によれば、コストアップを抑制しつつ、外装カバー上に配線されたケーブルの汚れを抑制できる。
【００１０】
また、かかる画像形成装置であって、
複数の前記ケーブルには、画像形成装置外の外部装置に接続される第２ケーブルが含まれ、
前記ケーブルガイドは、
前記外装カバー上に配線された前記第１ケーブルを、前記ファン開口部を跨がせないようにガイドする第１ケーブルガイドと、
前記外装カバー上に配線された前記第２ケーブルを、前記ファン開口部を跨がせないようにガイドする第２ケーブルガイドと、
であることが望ましい。かかる場合には、二つの配線経路上のケーブルがファン開口部を跨ぐことを防止できる。
【００１１】
また、かかる画像形成装置であって、
前記ファン開口部は、４辺から成る矩形部であり、
前記４辺のうちの対向する第１辺と第２辺が、鉛直方向に沿っており、他の対向する第３辺と第４辺が、水平方向に沿っており、
前記４辺のうちの前記第１辺が、前記鉛直方向に沿って設けられた前記接続部の隣に位置し、
前記第３辺は、前記鉛直方向において前記第４辺よりも上方に位置し、
前記接続部は、前記鉛直方向において前記第４辺よりも下方に位置し、前記第１ケーブルが接続される第１コネクタと、前記鉛直方向において前記第３辺よりも上方に位置し、前記第２ケーブルが接続される第２コネクタと、を有することが望ましい。かかる場合には、二つのコネクタが上下方向においてファン開口部から外れた領域に位置するので、二つのケーブルがファン開口部に跨ることを有効に防止できる。
【００１２】
また、かかる画像形成装置であって、
前記第１筐体は、前記鉛直方向において前記第２筐体の上に位置し、
前記接続部は、前記第２筐体に設けられ、
前記第１ケーブルガイド及び前記第２ケーブルガイドは、前記外装カバーから所定の突出方向に突出した突起であり、
前記第１ケーブルガイドは、前記第２辺と前記第４辺の周囲に形成され、
前記第２ケーブルガイドは、前記第３辺の周囲に形成されていることが望ましい。かかる場合には、ファン開口部の周囲のスペースを有効に活用して、二つのケーブルを配線できる。
【００１３】
また、かかる画像形成装置であって、
複数の前記ケーブルには、画像形成装置外の外部装置に接続される第３ケーブルが含まれ、
前記第２ケーブルガイドは、前記外装カバー上に配線された前記第２ケーブル及び前記第３ケーブルを、前記ファン開口部を跨がせないように共にガイドすることが望ましい。かかる場合には、第２ケーブルガイドによって、複数のケーブルがファン開口部に跨ることを有効に防止できる。
【００１４】
また、かかる画像形成装置であって、
前記第１ケーブル及び前記第２ケーブルは、断面が円形の丸ケーブルであり、
前記第１ケーブルの直径は、前記第２ケーブルの直径よりも大きく、
前記ファン開口部の周囲に位置し、前記第１ケーブルと前記第２ケーブルを共にガイドする第３ケーブルガイドを備え、
前記第３ケーブルガイドは、前記外装カバーから所定の突出方向に突出した突起であり、かつ、当該突起の先端側に前記第一ケーブルを固定する固定部を有し、
前記固定部に固定された前記第１ケーブルが、当該第１ケーブルよりも前記突起の根元側にてガイドされた前記第２ケーブルの、前記第３ケーブルガイドからの抜けを防止することが望ましい。かかる場合には、ガイドに固定された第１ケーブルによって第２ケーブルのガイドからの抜けを防止できるので、複数のケーブルを有効にガイドできる。
【００１５】
また、（Ａ）コンピュータ、及び、
（Ｂ）このコンピュータに接続された画像形成装置であって、
（ａ）原稿を読み取る読み取り部を有する第１筐体と、
（ｂ）前記第１筐体と第１ケーブルを介して結ばれ、前記読み取り部が読み取った前記原稿に基づいて画像を形成する画像形成部を有する第２筐体と、
（ｃ）前記第１筐体と前記第２筐体のうちの一方の筐体に設けられ、前記第１ケーブルを含む複数のケーブルが接続された接続部と、
（ｄ）前記接続部が設けられた筐体に取り付けられた外装カバーであって、
前記筐体内に設けられたファンによって前記筐体外へ排気される空気を通すファン開口部と、
前記ファン開口部の周囲に位置し、複数の前記ケーブルのうちの前記外装カバー上に配線された少なくとも一つのケーブルを、前記ファン開口部を跨がせないようにガイドするケーブルガイドと、
が一体形成された外装カバーと、
（ｅ）を備える画像形成装置、
（Ｃ）を具備することを特徴とする画像形成システム。このような画像形成システムによれば、コストアップを抑制しつつ、外装カバー上に配線されたケーブルの汚れを抑制できる。
【００１６】
＝＝画像形成装置の構成例＝＝
本実施の形態に係る画像形成装置は、原稿を読み取るための原稿読み取り機能（すなわち、スキャナ機能）、紙、フィルム、布等の媒体に画像を形成するための画像形成機能（すなわち、プリンタ機能）、スキャナ機能により読み取られた原稿上の画像を媒体に形成するためのコピー機能などを有するプリンタ複合機（以下、複合機１０と呼ぶ）である。
【００１７】
図１は、複合機１０の外観構成例を示した斜視図である。複合機１０は、上述した機能を実現するために、スキャナ機能を有するスキャナユニット１２と、プリンタ機能を有するプリンタユニット１４と、を備えている。ここで、スキャナユニット１２とプリンタユニット１４は、それぞれ異なる筐体であり（スキャナユニット１２が第１筐体に、プリンタユニット１４が第２筐体に、それぞれ該当する）、スキャナユニット１２は鉛直方向においてプリンタユニット１４上に位置する。そして、スキャナユニット１２とプリンタユニット１４は、画像信号や制御信号の通り道となるケーブル（後述）を介して結ばれている。
【００１８】
なお、複合機１０のスキャナ機能が実行される際には、原稿上の画像が読み取られ、読み取られた画像が画像データ（信号）として複合機１０内に保管される。また、複合機１０のプリンタ機能としては、スキャナ機能の実行により複合機１０内に保管された画像データ（信号）に基づいて、画像形成を行う機能（以下、当該機能を第一プリンタ機能とも呼ぶ）と、ＵＳＢやパラレルインターフェース、又は、ネットワークを介して、複合機１０に接続されたコンピュータ、から送られてくる画像データ（信号）に基づいて、画像形成を行う機能（以下、当該機能を第二プリンタ機能とも呼ぶ）がある。
【００１９】
＜＜スキャナユニット１２の構成例＞＞
図２は、スキャナユニット１２の内部構成を示した図である。スキャナユニット１２は、原稿Ｐが置かれる原稿台ガラス１１２と、開閉可能な原稿台カバー１１４（図１）と、原稿台ガラス１１２を介して原稿と対面しつつ移動方向に移動する読取キャリッジ１１６と、読取キャリッジ１１６を移動方向に移動させる移動機構１２２と、を備えている。
【００２０】
読取キャリッジ１１６は、露光ランプ１１６ａと、レンズ１１６ｂと、４枚のミラー１１６ｃと、ＣＣＤセンサー１１６ｄを備えており、原稿を読み取る読み取り部である。露光ランプ１１６ａは、原稿台ガラス１１２を介して原稿Ｐに光を照射する光源である。レンズ１１６ｂとミラー１１６ｃは、原稿Ｐからの反射光をＣＣＤセンサー１１６ｄに導くためのものである。ＣＣＤセンサー１１６ｄは、フォトダイオードが列状に配置された３本のラインセンサと、ラインセンサ毎に異なる色のフィルタを備えており、各ラインセンサはフィルタの色に対応した成分の光を検出する。
【００２１】
移動機構１２２は、タイミングベルト１２２ａと、駆動プーリー１２２ｂと、パルスモータ１２２ｄと、ガイド部材１２２ｅ等を備える。タイミングベルト１２２ａは、回転可能な環状のベルトであり、駆動プーリー１２２ｂと噛合している。タイミングベルト１２２ａには読取キャリッジ１１６が固定されており、タイミングベルト１２２ａが回転することにより、読取キャリッジ１１６が移動方向に移動する。パルスモータ１２２ｄは、駆動源であり、当該パルスモータ１２２ｄの回転軸に取り付けられた駆動プーリー１２２ｂを駆動する。パルスモータ１２２ｄによって駆動されたプーリー１２２ｂは、タイミングベルト１２２ａを回転させる。ガイド部材１２２ｅは、読取キャリッジ１１６の移動方向への移動を案内する。
【００２２】
上記構成のスキャナユニット１２のスキャナ機能は、以下のように行われる。すなわち、スキャナユニット１２は、移動機構１２２による読取キャリッジ１１６の移動中に、露光ランプ１１６ａに原稿Ｐに対して光を照射させ、原稿Ｐからの反射光をレンズ１１６ｂとミラー１１６ｃを介してＣＣＤセンサー１１６ｄに受光させることによって、原稿Ｐの画像を読み取る。そして、読み取られた画像データは、メインコントローラ２１０（詳細は後述する）のメモリ２１２（図４）に格納される。
【００２３】
なお、図１に示すように、スキャナユニット１２には、操作パネル１３０が設けられている。この操作パネル１３０は、作業者とのインターフェースとなる部分であり、作業者からの各種指示を受け付けるための指示受付部や作業者へ各種情報を与えるための情報出力部としての機能を発揮する。これらの機能を発揮するために、操作パネル１３０は、操作ボタン、液晶パネル等を備えている。
【００２４】
＜＜プリンタユニット１４の構成例＞＞
図３は、プリンタユニット１４の内部構成例を示した図である。プリンタユニット１４は、いわゆるレーザ方式のプリンタであり、プロセスユニット１５Ｙ、１５Ｍ、１５Ｃ、１５Ｋ、中間転写ベルト７０、一次転写ユニット６０Ｙ、６０Ｍ、６０Ｃ、６０Ｋ、二次転写ユニット８０、定着ユニット９０を有している。なお、プロセスユニット１５Ｙ、１５Ｍ、１５Ｃ、１５Ｋ、中間転写ベルト７０、一次転写ユニット６０Ｙ、６０Ｍ、６０Ｃ、６０Ｋ、二次転写ユニット８０、定着ユニット９０が、スキャナユニット１２が読み取った原稿に基づいて画像を形成する画像形成部を構成する。
【００２５】
まず、プロセスユニット１５Ｙ、１５Ｍ、１５Ｃ、１５Ｋの構成について説明する。前記プロセスユニットは、感光体２０Ｙ、２０Ｍ、２０Ｃ、２０Ｋ上に潜像を形成した後に、トナーにて該潜像をトナー像として可視化する機能を有している。前記プロセスユニットは、イエロー（Ｙ）、マゼンタ（Ｍ）、シアン（Ｃ）、ブラック（Ｋ）の各色に対応して設けられている。
【００２６】
プロセスユニット１５Ｙ、１５Ｍ、１５Ｃ、１５Ｋの構成は同様であるので、ここでは、プロセスユニット１５Ｙの構成について説明する。プロセスユニット１５Ｙは、感光体２０Ｙ上に潜像を形成した後に、イエロートナーにて該潜像をイエロートナー像として可視化する。このプロセスユニット１５Ｙは、感光体２０Ｙ、帯電ユニット３０Ｙ、露光ユニット４０Ｙ、現像ユニット５０Ｙ、感光体クリーニングユニット５５Ｙを有している。
【００２７】
感光体２０Ｙは、感光層の表面に潜像を担持する。この感光体２０Ｙは、図３中の矢印で示すように時計回りに回転する。帯電ユニット３０Ｙは、感光体２０Ｙを帯電する。露光ユニット４０Ｙは、帯電された感光体２０Ｙ上にレーザを照射することによって潜像を形成する。現像ユニット５０Ｙは、イエロー（Ｙ）トナーを収容しており、感光体２０Ｙ上に形成された潜像を、該トナーにてイエロートナー像として可視化する（現像する）。感光体クリーニングユニット５５Ｙは、中間転写ベルト７０上に転写されずに感光体２０Ｙに残存するトナー、を回収することにより、該感光体２０Ｙをクリーニングする。
【００２８】
次に、プロセスユニット１５Ｙ、１５Ｍ、１５Ｃ、１５Ｋ以外のユニットの構成について説明する。中間転写ベルト７０は、感光体２０Ｙ、２０Ｍ、２０Ｃ、２０Ｋに担持された各色のトナー像を紙に転写する際の中間媒体であり、トナー像を担持した状態で回転して該トナー像を移動させる。一次転写ユニット６０Ｙ、６０Ｍ、６０Ｃ、６０Ｋは、前記感光体に形成された各色のトナー像を中間転写ベルト７０に一次転写する。二次転写ユニット８０は、中間転写ベルト７０上に形成された単色トナー像やフルカラートナー像を紙に二次転写する。定着ユニット９０は、紙上に転写された単色トナー像やフルカラートナー像を、加熱加圧して紙に融着させて永久像とする。
【００２９】
上記構成のプリンタユニット１４のプリンタ機能（ここでは、前述した第一プリンタ機能及び第二プリンタ機能のうちの第一プリンタ機能について説明する）は、以下のように行われる。すなわち、プリンタユニット１４は、スキャナユニット１４により読み取られた画像データ（当該画像データは、図４に示すメモリ２１２に格納されている）に基づいて、画像形成動作を実行する。
【００３０】
この画像形成動作においては、まず、感光体２０Ｙ、２０Ｍ、２０Ｃ、２０Ｋと、中間転写ベルト７０等が回転する。前記感光体は、回転しながら、帯電位置において帯電ユニット３０Ｙ、３０Ｍ、３０Ｃ、３０Ｋにより順次帯電される。前記感光体の帯電された領域は、前記感光体の回転に伴って露光位置に至り、露光ユニット４０Ｙ、４０Ｍ、４０Ｃ、４０Ｋによって、イエロー（Ｙ）、マゼンタ（Ｍ）、シアン（Ｃ）、ブラック（Ｋ）の画像情報に応じた潜像が該領域に形成される。前記感光体上に形成された潜像は、該感光体の回転に伴って現像位置に至り、現像ユニット５０Ｙ、５０Ｍ、５０Ｃ、５０Ｋによってトナー像として可視化される。
【００３１】
感光体２０Ｙ、２０Ｍ、２０Ｃ、２０Ｋ上に形成された単色トナー像は、該感光体の回転に伴って一次転写位置に至り、一次転写ユニット６０Ｙ、６０Ｍ、６０Ｃ、６０Ｋによって、中間転写ベルト７０に一次転写される。この結果、中間転写ベルト７０上にはフルカラートナー像が形成される。中間転写ベルト７０上に形成されたフルカラートナー像は、中間転写ベルト７０の回転に伴って二次転写位置に至り、給紙トレイ９２から搬送される紙に二次転写ユニット８０によって二次転写される。そして、フルカラートナー像が二次転写された紙が定着ユニット９０へ搬送されると、前記フルカラートナー像は加熱加圧されて、該紙に融着される。これにより、紙にカラー画像が形成されることとなる。一方で、一次転写位置にて中間転写ベルト７０に一次転写されずに前記感光体に残存するトナーは、感光体クリーニングユニット５５Ｙ、５５Ｍ、５５Ｃ、５５Ｋによって回収される。
【００３２】
＝＝画像形成装置のコントローラの構成例＝＝
図４は、複合機１０のコントローラ２００の構成を示したブロック図である。コントローラ２００は、メインコントローラ２１０と、スキャナコントローラ２３０と、プリンタコントローラ２５０と、を備えている。
【００３３】
メインコントローラ２１０は、スキャナコントローラ２３０とプリンタコントローラ２５０とを司るコントローラであり、ＵＳＢやパラレルインターフェース、又は、ネットワークを介して複合機１０に接続されたコンピュータ等、とのインターフェース２１６や、画像データの、ＲＧＢからＹＭＣＫへの色成分の変換処理やハーフトーン処理等を実施する画像処理部２１４などを備えている。なお、メインコントローラ２１０は、プリンタユニット１４に設けられている。
【００３４】
スキャナコントローラ２３０は、スキャナユニット１２内の各ユニット（露光ランプ１１６ａ、ＣＣＤセンサー１１６ｄ、パルスモータ１２２ｄ等）と電気的に接続され、これらを制御するための駆動制御回路を備えている。そして、スキャナコントローラ２３０は、ケーブルを介してメインコントローラ２１０から入力される信号に基づいて、前記各ユニットを制御する。
【００３５】
同様に、プリンタコントローラ２５０は、プリンタユニット１４内の各ユニット（プロセスユニット１５Ｙ、１５Ｍ、１５Ｃ、１５Ｋ等）と電気的に接続され、これらを制御するための駆動制御回路を備えている。そして、プリンタコントローラ２５０は、メインコントローラ２１０から入力される信号に基づいて、前記各ユニットを制御する。
【００３６】
また、メインコントローラ２１０、スキャナコントローラ２３０、及び、プリンタコントローラ２５０は、それぞれ、ＣＰＵとメモリ２１２、２３２、２５２とを備えている。前記メモリには、プログラムが格納されており、当該プログラムをＣＰＵが処理することにより、各種動作が実現される。また、前記メモリには、画像データや制御データ等も格納される。
【００３７】
＝＝インターフェースに接続されたケーブルの背面カバー上での配線について＝＝
前述したように、スキャナユニット１２とプリンタユニット１４は、ケーブル（スキャナ接続ケーブル）によって結ばれている。このスキャナ接続ケーブルの一端は、プリンタユニット１４の背面に設けられたメインコントローラ２１０のインターフェース２１６に接続されている。そして、インターフェース２１６には、スキャナ接続ケーブル以外のケーブルも接続され、これら複数のケーブルは、安全面等の観点から背面カバー３１０（外装カバー）に配線されている。
【００３８】
以下においては、複数のケーブルが接続されるインターフェース２１６の構成、ケーブルが配線される背面カバー３１０の構成、及び、背面カバー３１０上におけるケーブルの配線等について、図５〜図１１を用いて説明する。
【００３９】
図５は、複合機１０の背面を示した図である。図６は、スキャナユニット１２とプリンタユニット１４が、ケーブルで結ばれた状態を示した図である。図７は、拡張ボード２７０装着前のインターフェース２１６等を示した図である。図８は、拡張ボード２７０装着後のインターフェース２１６等を示した図である。図９は、拡張ボード２７０の斜視図である。図１０は、インターフェース２１６に複数のケーブルが接続された状態を示した図である。図１１は、ケーブルガイド３２０を示した図である。
【００４０】
＜＜インターフェース２１６の構成と複数のケーブルについて＞＞
前述したメインコントローラ２１０のインターフェース２１６は、スキャナユニット１２とプリンタユニット１４のうちのプリンタユニット１４の背面に設けられている。このインターフェース２１６は、鉛直方向において上方に位置する上方インターフェース２１６ａと、鉛直方向において下方に位置する下方インターフェース２１６ｂを有しており、インターフェース２１６には、以下に説明する複数のケーブルが接続される。
【００４１】
インターフェース２１６には、図６に示すように、プリンタユニット１４とスキャナユニット１２を結ぶためのスキャナ接続メインケーブル（以下、便宜上、メインケーブルと呼ぶ）３８１及びスキャナ接続サブケーブル（以下、便宜上、サブケーブルと呼ぶ）３８２が、接続されている。
【００４２】
メインケーブル３８１は、プリンタユニット１４からスキャナユニット１２への電力の供給や、信号の送受信のためのケーブルである。このメインケーブル３８１は、その一端３８１ａが下方インターフェース２１６ｂのメインケーブルコネクタ２２１（図７）に接続されることにより、インターフェース２１６に接続される。一方で、メインケーブル３８１の他端３８１ｂは、スキャナユニット１２のコネクタに接続されている。
【００４３】
サブケーブル３８２は、スキャナユニット１２からプリンタユニット１４へのデータの送信のためのケーブルである。このサブケーブル３８２は、その一端３８１ａが上方インターフェース２１６ａのサブケーブルコネクタ２２２（図７）に接続されることにより、インターフェース２１６に接続される。一方で、サブケーブル３８２の他端（不図示）は、スキャナユニット１２に接続されている。
【００４４】
また、複合機１０は、コンピュータネットワークに接続可能な構成となっている。具体的には、図７に示すように、下方インターフェース２１６ｂには、ネットワークコネクタ２２３が設けられており、コンピュータやネットワーク上の装置（例えば、ハブ）等に接続されたネットワークケーブル（不図示）が、当該ネットワークコネクタ２２３に接続される。これにより、ネットワークを介してデータ等が複合機１０に送受信されることとなる。
【００４５】
さらに、下方インターフェース２１６ｂには、ファックス用のコネクタ２２４、２２５が設けられており、複合機１０のファクシミリ機能（すなわち、スキャナユニット１２が読み取った画像データを外部へ通信する）を実現できる。また、上方インターフェース２１６ａには、ＵＳＢケーブル接続用のＵＳＢコネクタ２２６が設けられている。
【００４６】
ところで、複合機１０と種々の外部装置との接続を実現するため、上方インターフェース２１６ａには、前記外部装置との接続のためのコネクタを有する拡張ボード２７０（図９）が装着可能な構成となっている。すなわち、上方インターフェース２１６ａには、拡張ボード２７０が装着可能な拡張スロット２２８（図７）が設けられている。
【００４７】
拡張ボード２７０には、図８に示すように、ネットワークコネクタ２７１と、ＵＳＢコネクタ２７２、２７３と、アダプタ接続コネクタ２７４が、設けられている。ネットワークコネクタ２７１にはネットワークに接続されるネットワークケーブル３８７が接続され、ＵＳＢコネクタ２７２、２７３には外部装置に接続されるＵＳＢケーブル３８５、３８６が接続され、アダプタ接続コネクタ２７４にはアダプタケーブルが接続される。
【００４８】
このように、インターフェース２１６（拡張ボード２７０を含む）には、複数のケーブルが接続可能な構成となっている。そして、上述した複数のケーブルは、断面が円形である丸ケーブルである。なお、本実施の形態においては、インターフェース２１６（拡張ボード２７０を含む）が、接続部に相当する。
【００４９】
＜＜排気ファン及びファン開口部について＞＞
上述したようにプリンタユニット１４内には各種のユニット（プロセスユニット等）が設けられており、これらのユニットが発する熱によって、プリンタユニット１４（筐体）内の温度が上昇する。そして、筐体内の温度が上昇すると、画像形成に悪影響を及ぼすため、筐体内の放熱のための排気ファンを設ける必要がある。
【００５０】
本実施の形態においては、消費電力が大きい定着ユニット９０が発する熱を排気するための排気ファン３９０が、図６に示すようにプリンタユニット１４の背面側（定着ユニット９０の近傍）に設けられている。そして、プリンタユニット１４の背面カバー３１０には、排気ファン３９０によって筐体外へ排気される空気を通すファン開口部３１５が、排気ファン３９０に対向する位置に設けられている。
【００５１】
ファン開口部３１５は、排気される空気が通る多数の開口を備え、４辺から成る矩形部である。この４辺のうちの対向する右辺３１５ａと左辺３１５ｂが、鉛直方向に沿っており、他の対向する上辺３１５ｃと下辺３１５ｄが、水平方向に沿っている。また、図７に示すように、４辺のうちの右辺３１５ａが、鉛直方向に沿って設けられたインターフェース２１６の隣に位置し、上辺３１５ｃは、鉛直方向において下辺３１５ｄよりも上方に位置している。
【００５２】
更に、ファン開口部３１５は、上方インターフェース２１６ａ及び下方インターフェース２１６ｂに対して、以下のような位置関係にある。すなわち、図７等に示すように、下方インターフェース２１６ｂの全てのコネクタ（サブコネクタ２２２等）は、鉛直方向において前記下辺３１５ｄよりも下方に位置し、上方インターフェース２１６ａの全てのコネクタ（ＵＳＢコネクタ２７２、２７３等）は、鉛直方向において前記上辺３１５ｃよりも上方に位置する。
【００５３】
なお、本実施例のファン開口部３１５においては、４辺のうちの右辺３１５ａが第１辺に、左辺３１５ｂが第２辺に、上辺３１５ｃが第３辺に、下辺３１５ｄが第４辺に、それぞれ該当する。
【００５４】
＜＜ケーブルガイドについて＞＞
上述したように、インターフェース２１６に接続されたケーブルは、背面カバー３１０上に配線される。そして、本実施の形態においては、背面カバー３１０上のケーブルの配線のために、ケーブルガイド３２０が用いられている。このケーブルガイド３２０は、ファン開口部３１５の周囲に位置し、前述した複数のケーブルのうちの背面カバー３１０上に配線されたケーブルを、ファン開口部３１５を跨がせないようにガイドするためのものである。
【００５５】
そして、ケーブルガイド３２０は、図１１に示すように、ファン開口部３１５の４辺のうちの左辺３１５ｂの周囲に形成された左辺ガイド３２１と、下辺３１５ｄの周囲に形成された下辺ガイド３２２と、上辺３１５ｃの周囲に形成された上辺ガイド３２３とから構成されている。
【００５６】
左辺ガイド３２１及び下辺ガイド３２２は、図６に示すように、下方インターフェース２１６ｂへの接続のために背面カバー３１０上に配線されたサブケーブル３８２を、ファン開口部３１５を跨がせないようにガイドする。
【００５７】
左辺ガイド３２１は、背面カバー３１０から所定の突出方向に突出した突起であり、ケーブルを挟持する挟持突起３２１ａと、Ｌ字状に突出しているＬ字突起３２１ｂとから成る。挟持突起３２１ａは、ケーブルがファン開口部３１５に移動することを防止し、Ｌ字突起３２１ｂは、ケーブルが突出方向に移動することを防止している。
【００５８】
下辺ガイド３２２にも、左辺ガイド３２１と同様に、背面カバー３１０から所定の突出方向に突出した突起であり、ケーブルを挟持する挟持突起３２２ａと、Ｌ字状に突出しているＬ字突起３２２ｂとから成り、ケーブルがファン開口部３１５に移動しないようにガイドする。
【００５９】
上辺ガイド３２３は、図１０に示すように、上方インターフェース２１６ａへの接続のために背面カバー３１０上に配線されたケーブルを、ファン開口部３１５を跨がせないようにガイドする。
【００６０】
上辺ガイド３２３は、背面カバー３１０から所定の突出方向に突出した突起であり、ケーブルを挟むように対向する一対の突起対３２３ａと、Ｌ字状に突出しているＬ字突起３２３ｂとから成る。突起対３２３ａ及びＬ字突起３２３ｂは、それぞれケーブルがファン開口部３１５に移動することを防止する。なお、図１０においては、上辺ガイド３２３が、二つのＵＳＢケーブル３８５、３８６とネットワークケーブル３８７を、ファン開口部３１５を跨がないように共にガイドしている状態が、示されている。
【００６１】
なお、３つのガイド（左辺ガイド３２１、下辺ガイド３２２、及び、上辺ガイド３２３）とファン開口部３１５は、他の部分と共に一体成形されて、樹脂製の背面カバー３１０を構成している。
【００６２】
＜＜ケーブルの配線方法＞＞
次に、ケーブルを背面カバー３１０上でどのように配線させるかについて、説明する。ここでは、図１０に示す４つのケーブル（すなわち、サブケーブル３８２、ＵＳＢケーブル３８５、３８６、及び、ネットワークケーブル３８７）を例に挙げて、説明する。
【００６３】
まず、サブケーブル３８２を下方インターフェース２１６ｂに接続する際の配線方法について、一例を説明する。サブケーブル３８２の他端は予めスキャナユニット１２に接続(固定)されているので、まず、サブケーブル３８２の一端３８２ａを下方インターフェース２１６ｂのサブケーブルコネクタ２２２に接続する。そして、サブケーブル３８２を、左辺ガイド３２１及び下辺ガイド３２２にガイドさせるように、ファン開口部３１５の周囲に沿って配線させる（図６）。なお、前記一端３８２ａの接続後にケーブルを配線させることとしたが、先にケーブルを配線させた後に、前記一端３８２ａを接続することとしてもよい。
【００６４】
上記のようにサブケーブル３８２を配線することによって、背面カバー３１０上に配線されたサブケーブル３８２が、左辺ガイド３２１の挟持突起３２１ａ及びＬ字突起３２１ｂと、下辺ガイド３２２の挟持突起３２２ａ及びＬ字突起３２２ｂと、により保持される。このため、鉛直方向においてファン開口部３１５よりも上方に位置するスキャナユニット１２と、ファン開口部３１５よりも下方に位置する下方インターフェース２１６ａ（具体的には、サブケーブルコネクタ２２２）と、を接続するサブケーブル３８２が、ファン開口部３５１に跨ることを防止できる。
【００６５】
次に、ＵＳＢケーブル３８５、３８６及びネットワークケーブル３８７を上方インターフェース２１６ａに接続する際の配線方法について、一例を説明する。ここでは、ＵＳＢケーブル３８５、３８６及びネットワークケーブル３８７の他端は、予め外部装置に接続されている（例えば、ＵＳＢケーブル３８５、３８６は認証デバイスに接続され、ネットワークケーブル３８７はネットワークハブに接続されている）ものとし、また、ＵＳＢケーブル３８５、ＵＳＢケーブル３８６、ネットワークケーブル３８７の順に背面カバー３１０上に配線させるものとして、説明する。
【００６６】
ＵＳＢケーブル３８５の配線においては、まず、ＵＳＢケーブル３８５の一端３８５ａを拡張ボード２７０のＵＳＢコネクタ２７２に接続する。そして、ＵＳＢケーブル３８５を、上辺ガイド３２３にガイドさせるようにファン開口部３１５の周囲（具体的には、上辺３１５ｃと左辺３１５ｂの周囲）に沿って配線させる（図１０）。その後のＵＳＢケーブル３８６の配線においても、同様に、ＵＳＢケーブル３８６の一端３８６ａをＵＳＢコネクタ２７３に接続した後に、ＵＳＢケーブル３８６を、上辺ガイド３２３にガイドさせるようにファン開口部３１５の前記周囲に配線させる。更に、ネットワークケーブル３８７の配線においても、ネットワークケーブル３８７の一端３８７ａをネットワークコネクタ２７１に接続した後に、ネットワークケーブル３８７を、上辺ガイド３２３にガイドさせるようにファン開口部３１５の前記周囲に配線させる。なお、左辺３１５ｂの周囲においては、３つのケーブルは、ファン開口部３１５よりも鉛直下方に位置する外部装置（不図示）への接続のために、背面カバー３１０の壁３１０ａに沿って配線されている。
【００６７】
上記のようにＵＳＢケーブル３８５、３８６及びネットワークケーブル３８７を配線することによって、背面カバー３１０上に配線されたこれら３つのケーブルが、上辺ガイド３２３の突起対３２３ａ及びＬ字突起３２３ｂにより保持される。また、上辺ガイド３２３の二つの突起対３２３ａのうちの一方の突起対３２３ａが、ファン開口部３１５の左辺３１５ｂの真上に位置する関係にあるため、図１０に示すように前記左辺３１５ｂと上辺３１５ｃの交差する箇所の周囲で曲げられて配線された３つのケーブルは、ファン開口部３１５上を通過しない。
【００６８】
従って、前記３つのケーブルに接続される外部装置が鉛直方向においてファン開口部３１５よりも下方に位置している場合でも、前記外部装置と、ファン開口部３１５よりも上方に位置する上方インターフェース２１６ａ（具体的には、３つのケーブルが接続されたコネクタ）とを接続する３つのケーブルが、ファン開口部３１５を跨ぐことを防止できる。
【００６９】
ところで、本実施の形態においては、サブケーブル３８２が第１ケーブルに該当し、ＵＳＢケーブル３８５が第２ケーブルに該当し、ＵＳＢケーブル３８６が第３ケーブルに該当する。また、サブケーブルコネクタ２２２が第１コネクタに該当し、ＵＳＢコネクタ２７２が第２コネクタに該当する。更に、上述した３つのガイドのうちの、左辺ガイド３２１及び下辺ガイド３２２が第一ケーブルガイドに該当し、上辺ガイド３２３が第二ケーブルガイドに該当する。
【００７０】
＝＝本実施形態に係る複合機１０の有効性について＝＝
上述した複合機１０は、読み取り部を有するスキャナユニット１２と、画像形成部を有するプリンタユニット１４と、プリンタユニット１４に設けられ複数のケーブルが接続されたインターフェース２１６と、プリンタユニット１４に取り付けられた背面カバー３１０と、を備える。そして、背面カバー３１０には、プリンタユニット１４内に設けられた排気ファン３９０によってプリンタユニット１４外へ排気される空気を通すファン開口部３１５と、ファン開口部３１５の周囲に位置し、複数のケーブルのうちの背面カバー３１０上に配線された少なくとも一つのケーブルを、ファン開口部３１５を跨がせないようにガイドするケーブルガイド３２０と、が一体形成されている。このような構成によって、複合機１０のコストアップを抑制しつつ、背面カバー３１０上に配線されたケーブルの汚れを抑制することが可能となる。かかる点について、以下において詳細に説明する。
【００７１】
背面カバー３１０上に配線されたケーブルが、プリンタユニット１４（筐体）に設けられた排気ファン３９０によって筐体外へ排気される空気を通すファン開口部３１５、を跨いでいる場合には、排気される空気（当該空気の中には、例えば塵等が含まれている）によってケーブルが汚れてしまう恐れがある。特に、前記空気の中に、プリンタユニット１４内で飛散したトナーが含まれている場合には、当該トナーによってケーブルが汚れやすくなる。
【００７２】
一方で、ケーブルがファン開口部３１５を跨がないように、クランプを用いてケーブルを配線する手法も考えられる。しかし、かかる場合には、別部品であるクランプを設けることに伴うコストアップの問題が生じる。
【００７３】
これに対して、本実施の形態においては、ファン開口部３１５の周囲に位置し、背面カバー３１０上に配線された少なくとも一つのケーブル(図１０においては、４つのケーブル)を、ファン開口部３１５を跨がせないようにガイドするケーブルガイド３２０（左辺ガイド３２１、下辺ガイド３２２、及び、上辺ガイド３２３）が、設けられている。これによって、図１０に示すように、４つのケーブル（サブケーブル３８３、ＵＳＢケーブル３８５、３８６、及び、ネットワークケーブル３８７）が、ファン開口部３１５を避けるようにケーブルガイド３２０に保持されて配線される。このため、４つのケーブルがファン開口部３１５に跨ることを防止でき、この結果、ファン開口部３１５を通る空気によってケーブルが汚れることを抑制できる。
【００７４】
また、上記のケーブルガイド３２０は背面カバー３１０において一体成形されているので、クランプのような別部品を設けなくても、背面カバー３１０に配線されたケーブルを、ファン開口部３１５を跨がないようにガイドできる。従って、本実施の形態に係る複合機１０によれば、コストアップを抑制しつつ、背面カバー３１０に配線されたケーブルの汚れを抑制できる。
【００７５】
さらに、上記の実施形態においては、図１１に示すように、ケーブルガイド３２０は、ファン開口部３１５の左辺３１５ｂと下辺３１５ｄの周囲に配線されたケーブルをガイドする第１ケーブルガイド（左辺ガイド３２１及び下辺ガイド３２２）と、ファン開口部３１５の上辺３１５ｃの周囲に配線された第２ケーブルガイド（上辺ガイド３２３）と、であることとした。これにより、第１ケーブルガイドに沿って配線されたケーブルと、第２ケーブルガイドに沿って配線されたケーブル（すなわち、配線経路が異なる二つのケーブル）が、ファン開口部３１５を跨ぐことを防止できる。
【００７６】
さらに、上記の実施形態においては、図１０に示すように、サブケーブル３８２が接続されるサブケーブルコネクタ２２２は、ファン開口部３１５の下辺３１５ｄよりも下方に位置し、ＵＳＢケーブル３８５が接続されるＵＳＢコネクタ２７２は、ファン開口部３１５の上辺３１５ｃよりも上方に位置することとした。これにより、サブケーブル３８２とＵＳＢケーブル３８５の配線経路がファン開口部３１５上を通ることを避けやすくなるので、これらのケーブルがファン開口部３１５を跨ぐことをより有効に抑制できる。
【００７７】
さらに、上記の実施形態においては、図１１に示すように、第１ケーブルガイド（左辺ガイド３２１及び下辺ガイド３２２）は、ファン開口部３１５の左辺３１５ｂ及び下辺３１５ｄの周囲に形成され、第２ケーブルガイド（上辺ガイド３２３）は、ファン開口３１５の上辺３１５ｃの周囲に形成されていることとした。このようにケーブルガイドを形成させる場合には、ファン開口部３１５の周囲のスペースを有効活用しつつ、ファン開口部３１５を通る空気によってケーブルが汚れることを抑制できる。
【００７８】
さらに、上記の実施形態においては、図１０に示すように、上辺ガイド３２３は、背面カバー３１０上に配線された３つのケーブル（ＵＳＢケーブル３８５、３８６、及び、ネットワークケーブル３８７）を、ファン開口部３１５を跨がせないように共にガイドすることとした。これにより、上方インターフェース２１６ａに接続されるケーブルが増えても、これらのケーブルがファン開口部３１５から排気された空気によって汚れることを防止できる。
【００７９】
＝＝第２実施形態＝＝
第２実施形態について、図１２と図１３を用いて説明する。図１２は、第２実施形態に係るファン開口部３１５及びその周辺部を示した図である。図１３は、共通ガイド３２５が複数のケーブルをガイドしている状態を示した図である。なお、図１２には、説明の便宜上、ＵＳＢケーブル３８６及びネットワークケーブル３８７が示されていない。
【００８０】
第２実施形態においては、背面カバー３１０のファン開口部３１５の周囲に、上述した実施形態（第１実施形態）と同様に、左辺ガイド３２１、下辺ガイド３２２、及び、上辺ガイド３２３が設けられている。そして、左辺ガイド３２１及び下辺ガイド３２２は、サブケーブル３８２を、ファン開口部３１５を跨がないようにガイドする。また、上辺ガイド３２３は、ＵＳＢケーブル３８５、３８６及びネットワークケーブル３８７を、ファン開口部３１５を跨がないようにガイドする。
【００８１】
ところで、ファン開口部３１５の周囲（左辺ガイド３２１及び上辺ガイド３２３の近傍）には、更に、４つのケーブルを共にガイドする共通ガイド３２５（第３ケーブルガイドに該当する）が設けられている。この共通ガイド３２５は、背面カバー３１０から所定の突出方向に突出した突起であり、かつ、当該突起の先端側にサブケーブル３８２を固定する固定部３２５ａを有する。この固定部３２５ａは、ケーブルを挟むことで固定するものである。そして、固定部３２５ａは、サブケーブル３８２以外の他のケーブルを固定しない。これは、サブケーブル３８２の直径が他の３つのケーブルの直径よりも大きく、また、固定部３２５ａのケーブルを挟む部分の幅が、サブケーブル３８２の直径とほぼ同じ大きさになっているためである。
【００８２】
この共通ガイド３２５に対して、４つのケーブルは以下のようにガイドされる。まず、その直径がサブケーブル３８２の直径よりも小さい３つのケーブルを、共通ガイド３２５にガイドさせた後に、サブケーブル３８２を、固定部３２５ａに固定させることによって共通ガイド３２５にガイドさせる。
【００８３】
上記のようなサブケーブル３８２が固定部３２５ａに固定されることによって、共通ガイド３２５（突起）の根元３２５ｂ側に位置する３つのケーブル（ＵＳＢケーブル３８５、３８６及びネットワークケーブル３８７）は、サブケーブル３８２が障害となって、共通ガイド３２５から抜けることが無い。このように、固定部３２５ａに固定されたサブケーブル３８２は、当該サブケーブル３８２よりも前記突起の根元３２５ｂ側にてガイドされた他の３つのケーブルの、共通ガイド３２５からの抜けを防止する。
【００８４】
なお、ＵＳＢケーブル３８５、３８６及びネットワークケーブル３８７が共通ガイド３２５にガイドされることによって、第１実施形態とは異なり、これら３つのケーブルは、ファン開口部３１５の左辺３１５ｂの周囲から離れて配線されることとなる。この結果、これらのケーブルが、ファン開口部３１５を通る空気によって汚れることを、より効果的に防止できる。
【００８５】
背面カバー３１０等の、上述した構成以外の構成については、第１実施形態に係る構成と同様であるので、説明を省く。
【００８６】
＝＝その他の実施の形態＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００８７】
また、上記実施の形態においては、プリンタユニット１４としてレーザビームプリンタを例にとって説明したが、プリンタユニット１４は、インクジェット方式のプリンタであってもよい。
【００８８】
また、上記実施の形態においては、ケーブルガイド３２０がスキャナユニット１２とプリンタユニット１４のうちのプリンタユニット１４の背面カバー３１０（外装カバー）に設けられていることとしたが、これに限定されるものではない。例えば、ケーブルガイドは、スキャナユニット１２の外装カバーに設けられていることとしてもよい。
【００８９】
＝＝画像形成システム等の構成＝＝
次に、本発明に係る実施の形態の一例である画像形成システムの実施形態について、図面を参照しながら説明する。図１４は、画像形成システムの構成を示すブロック図である。
【００９０】
画像形成システム７００は、コンピュータ７０２と、表示装置７０４と、複合機１０（既述）と、入力装置７０８と、メディア読取装置７１０とを備えている。コンピュータ７０２は、本実施形態ではミニタワー型の筐体に収納されているが、これに限られるものではない。表示装置７０４は、ＣＲＴやプラズマディスプレイや液晶表示装置等が用いられるのが一般的であるが、これに限られるものではない。入力装置７０８は、本実施形態ではキーボードとマウスが用いられているが、これに限られるものではない。メディア読取装置７１０は、本実施形態ではフレキシブルディスクドライブ装置７１０ＡとＣＤ−ＲＯＭドライブ装置７１０Ｂが用いられているが、これに限られるものではなく、例えばＭＯディスクドライブ装置やＤＶＤ等の他のものであっても良い。また、コンピュータ７０２が収納された筐体内にＲＡＭ等の内部メモリ８０２と、ハードディスクドライブユニット８０４等の外部メモリがさらに設けられている。
【００９１】
なお、以上の説明においては、複合機１０が、コンピュータ７０２、表示装置７０４、入力装置７０８、及び、メディア読取装置７１０と接続されて画像形成システムを構成した例について説明したが、これに限られるものではない。例えば、画像形成システムが、コンピュータ７０２と複合機１０から構成されても良く、画像形成システムが表示装置７０４、入力装置７０８及びメディア読取装置７１０のいずれかを備えていなくても良い。
【００９２】
このようにして実現された画像形成システムは、システム全体として従来システムよりも優れたシステムとなる。
【図面の簡単な説明】
【００９３】
【図１】複合機１０の外観構成例を示した斜視図である。
【図２】スキャナユニット１２の内部構成を示した図である。
【図３】プリンタユニット１４の内部構成例を示した図である。
【図４】複合機１０のコントローラ２００の構成を示したブロック図である。
【図５】複合機１０の背面を示した図である。
【図６】スキャナユニット１２とプリンタユニット１４が、ケーブルで結ばれた状態を示した図である。
【図７】拡張ボード２７０装着前のインターフェース２１６等を示した図である。
【図８】拡張ボード２７０装着後のインターフェース２１６等を示した図である。
【図９】拡張ボード２７０の斜視図である。
【図１０】インターフェース２１６に複数のケーブルが接続された状態を示した図である。
【図１１】ケーブルガイド３２０を示した図である。
【図１２】第２実施形態に係るファン開口部３１５及びその周辺部を示した図である。
【図１３】共通ガイド３２５がケーブルをガイドしている状態を示した図である。
【図１４】画像形成システムの構成を示すブロック図である。
【符号の説明】
【００９４】
１０  複合機、１２  スキャナユニット、１４  プリンタユニット、
１５Ｙ、１５Ｍ、１５Ｃ、１５Ｋ  プロセスユニット、
２０Ｙ、２０Ｍ、２０Ｃ、２０Ｋ  感光体、
３０Ｙ、３０Ｍ、３０Ｃ、３０Ｋ  帯電ユニット、
４０Ｙ、４０Ｍ、４０Ｃ、４０Ｋ  露光ユニット、
５０Ｙ、５０Ｍ、５０Ｃ、５０Ｋ  現像ユニット、
５５Ｙ、５５Ｍ、５５Ｃ、５５Ｋ  感光体クリーニングユニット、
６０Ｙ、６０Ｍ、６０Ｃ、６０Ｋ  一次転写ユニット、７０  中間転写ベルト、
８０  二次転写ユニット、９０  定着ユニット、９２  給紙トレイ、
１１２  原稿台ガラス、１１４  原稿台カバー、１１６  読取キャリッジ、
１１６ａ  露光ランプ、１１６ｂ  レンズ、１１６ｃ  ミラー、
１１６ｄ  ＣＣＤセンサー、１２２  移動機構、１２２ａ  タイミングベルト、
１２２ｂ  駆動プーリー、１２２ｄ  パルスモータ、１２２ｅ  ガイド部材、
２００  コントローラ、２１０  メインコントローラ、２１２  メモリ、
２１４  画像処理部、２１６  インターフェース、
２１６ａ  下方インターフェース、２１６ｂ  上方インターフェース、
２２１  メインケーブルコネクタ、２２２  サブケーブルコネクタ、
２２３  ネットワークコネクタ、２２４  コネクタ、
２２５  コネクタ、２２８  拡張スロット、２３０  スキャナコントローラ、
２３２  メモリ、２５０  プリンタコントローラ、２５２  メモリ、
２７０  拡張ボード、２７１  ネットワークコネクタ、２７２  ＵＳＢコネクタ、
２７３  ＵＳＢコネクタ、２７４  アダプタ接続コネクタ、
３１０  背面カバー、３１５  ファン開口部、３１５ａ  右辺、３１５ｂ  左辺、
３１５ｃ  上辺、３１５ｄ  下辺、３２０  ケーブルガイド、３２１  左辺ガイド、
３２１ａ  挟持突起、３２１ｂ  Ｌ字突起、３２２  下辺ガイド、
３２２ａ  挟持突起、３２２ｂ  Ｌ字突起、３２３  上辺ガイド、
３２３ａ  突起対、３２３ｂ  Ｌ字突起、３２５  共通ガイド、３２５ａ  固定部、
３８１  メインケーブル、３８２  サブケーブル、３８５  ＵＳＢケーブル、
３８６  ＵＳＢケーブル、３８７  ネットワークケーブル、３９０  排気ファン、
７００  画像形成システム、７０２  コンピュータ、７０４  表示装置、
７０８  入力装置、７１０  メディア読取装置、
７１０Ａ  フレキシブルディスクドライブ装置、
７１０Ｂ  ＣＤ−ＲＯＭドライブ装置、
８０２  内部メモリ、８０４  ハードディスクドライブユニット、
Ｐ  原稿
【図１】
2009116114.tif 000003
【図２】
2009116114.tif 000004
【図３】
2009116114.tif 000005
【図４】
2009116114.tif 000006
【図５】
2009116114.tif 000007
【図６】
2009116114.tif 000008
【図７】
2009116114.tif 000009
【図８】
2009116114.tif 000010
【図９】
2009116114.tif 000011
【図１０】
2009116114.tif 000012
【図１１】
2009116114.tif 000013
【図１２】
2009116114.tif 000014
【図１３】
2009116114.tif 000015
【図１４】
2009116114.tif 000016